(57)【特許請求の範囲】
【請求項１】
ネック部の口径より中央部の口径が大きい管球と、
前記管球の落下防止機構とを備えた管球の落下防止機構付きランプにおいて、
前記落下防止機構は、マウントに対してスライド自在に保持されたスライド部材を有し、
前記スライド部材は、ランプ口金と前記管球のトップ部とを結ぶランプ軸線に沿った方向成分と該ランプ軸線を中心とする半径方向成分とをもつ方向にスライド移動自在であり、
前記ランプ口金を下方にしたとき、前記スライド部材は、前記ランプ軸線に沿って前記管球のトップ部から前記ランプ口金に向かう方向成分と該ランプ軸線から半径方向内向き成分とをもつ方向にスライド移動して、該スライド部材は前記ネック部口径の範囲内で停止し、
前記ランプを上下反転してランプ口金を上方にしたとき、前記スライド部材は、前記ランプ軸線に沿って前記ランプ口金から前記管球のトップ部に向かう方向成分と該ランプ軸線から半径方向外向き成分とをもつ方向にスライド移動して、該スライド部材の一部は前記ネック部口径を超えた位置で停止する、管球の落下防止機構付きランプ。
【請求項２】
請求項１に記載のランプにおいて、
前記落下防止機構は、
スライド部材と、
前記スライド部をスライド自在に保持する保持部材と、
前記保持部材を前記マウントに固定する固定部材とを有している、ランプ。
【請求項３】
請求項２に記載のランプにおいて、
前記スライド部材は、線材を略直角三角形に折り曲げて両端を接続して形成され、
三角形の第一の辺は、前記ランプ軸線に沿って鉛直方向に延在し、
三角形の第二の辺は、スライド部を構成し、
三角形の第三の辺は、第一の辺の端部と第二の辺の端部を接続している、ランプ。
【請求項４】
請求項３に記載のランプにおいて、
前記落下防止機構は、更に、前記スライド部材の旋回防止機構を有し、
前記旋回防止機構は、前記スライド部材が前記スライド部の軸中心の周りを旋回しないように、前記三角形の第三の辺を取り囲むように形成されている、ランプ。
【請求項５】
請求項３に記載のランプにおいて、
前記落下防止機構は、前記スライド部の断面形状を非円形とし、該スライド部を摺動自在に保持する保持部材の断面形状を該非円形に対応する非円環形状として、構成されている、ランプ。
【請求項６】
請求項２に記載のランプにおいて、
前記スライド部材は、重量を増加するための錘を有している、ランプ。
【請求項７】
請求項１に記載のランプにおいて、
前記落下防止機構を複数個設けている、ランプ。
【発明の詳細な説明】
【技術分野】
【０００１】
本発明は、管球の落下防止機構付きランプに関する。
【背景技術】
【０００２】
例えば、高圧水銀ランプ、メタルハライドランプ、セラミックメタルハライドランプ及び高圧ナトリウムランプのような高輝度放電ランプ（ＨＩＤランプ：High Intensity Discharge Lamp）は、電極間の放電を利用して発光する。このため、白熱電球と比べて、光束が大きく大規模な空間の照明に適し、エネルギー効率が良いため消費電力が少なく、寿命も長く、一般に演色性が高い、といった種々の特徴を備えている。従って、店舗、工場、ホール、スポーツ施設等の照明、テレビや映画のロケーション照明、自動車や鉄道車両の前照灯として、一般に広く使用されている。
【０００３】
高輝度放電ランプは、管球（「外管バルブ」ともいう。）の内部に、発光源として放電電極及び金属ハロゲン化物、希ガス等の放電媒体を封装した発光管を収納した二重構造となっている。この発光管を支持するマウントのステム管と外管バルブのネック部とを封止し、外管バルブ内を不活性ガスや窒素ガス或いは真空雰囲気にして、発光管の保護、保温、外管バルブ内部の金属部品の酸化防止等を図っている。
【先行技術文献】
【特許文献】
【０００４】
【特許文献１】特開2002-184359号公報「照明用管球」（2002年06月28日公開）
【特許文献２】特開2008-66222号公報「高圧放電ランプ」（2008年03月21日公開）  図１は、特許文献１に開示する管球の落下防止機構を説明する図である。但し、本願図面の参照符号との重複を避けるため、図１の参照符号及び以下の説明は、特許文献１の図１及び２の参照符号を100番台に変更している。明細書段落0010〜0011に、「…留め金101は留め金本体101aと留め金心棒101bからなっており、留め金本体101aは…ステンレス鋼板を断面がコの字形になるように折り曲げたもので、留め金心棒101bを軸にして回転する。回転の範囲は支持金具とのなす角度が最大60度程度である。…留め金本体1aは重心軸を外して留め金心棒1bに支持されているので、口金が上になった時、留め金本体は重力によって回転し、支持金具2となす角度が60度まで回転する。…これとは逆に口金が下側になった時は、留め金本体と支持金具2のなす角度は0度になる。」と説明されている。
【０００５】
図２は、特許文献２に開示する管球の落下防止機構を説明する図である。但し、本願図面の参照符号との重複を避けるため、図２の参照符号は、特許文献２の図１の参照符号を200番台に変更している。要約に、「ランプ210では、外管バルブ214の上記球体部214a内における内部ステムリード212には、アーム222を有する落下ストッパ220が１つだけ取付けられており、アーム222が、その一端を支点Ｆとして、他端が第１の位置から第２の位置までの間を弧を描く状態に回転自在に構成されている。第２の位置では、アーム222が外管バルブ214の管軸Ａｘ10に対し、７０［°］よりも大きく、１１０［°］以下の角度をなす。」と説明されている。
【０００６】
この特許文献１及び２には、以下に説明するスライド機構を利用した管球の落下防止機構は開示されていない。
【発明の概要】
【発明が解決しようとする課題】
【０００７】
高輝度放電ランプは、照明装置のソケットへの口金の装着時或いは点灯経過時において、希に、ステム管と外管バルブのネック部との封止部やその周辺部に、クラック等の割れを生じることがあった。クラックの原因としては、ガラス製外管バルブとステム管との封止作業時の加熱バーナによるガラス溶融の不具合により、封止部をモールド成形した際に、封止部やその周辺部のガラスの厚みが不均一に成る場合が挙げられる。或いは、バルブから導出した外部導入線と口金とを半田等のろう材を用い接続するスポット的な加熱時に生じる歪等を除去する歪除去バーナの調整不具合により、封止部やその周辺部のガラスに歪みが残留する場合が挙げられる。このようなガラス厚みの不均一、残留歪み等により、外管バルブの封止部やその周辺部に、微小な傷やひび割れが進行したり、加工残存歪が大きくなったりする。
【０００８】
高輝度放電ランプのＥ（ねじ込み）形口金をソケットにねじ込みながら装着する際に外管バルブの封止部やその周辺部に強い捻り力、ランプ点滅による熱的衝撃或いは振動衝撃等が、薄肉部、微小な傷やひび割れ部分、歪量が大きい部分等に加わった場合に、この部分にクラックや割れが生じるおそれがある。
【０００９】
封止部やその周辺部に生じたクラックや割れが一周すると、外管バルブがＥ型口金から離脱して落下するおそれがある。なお、この問題は、後述するように高輝度放電ランプに限られず、他の白熱ランプにも存在している。
【課題を解決するための手段】
【００１０】
上記問題点に鑑みて、本発明は、管球の封止部やその周辺部にクラックが発生しても、管球の落下を確実に防止する落下防止機構付きランプを提供することを目的とする。
【００１１】
上記目的に鑑みて、本発明に係る管球の落下防止機構付きランプは、ネック部の口径より中央部の口径が大きい管球と、前記管球の落下防止機構とを備え、前記落下防止機構は、マウントに対してスライド自在に保持されたスライド部材を有し、前記スライド部材は、ランプ口金と前記管球のトップ部とを結ぶランプ軸線に沿った方向成分と該ランプ軸線を中心とする半径方向成分とをもつ方向にスライド移動自在であり、前記ランプ口金を下方にしたとき、前記スライド部材は、前記ランプ軸線に沿って前記管球のトップ部から前記ランプ口金に向かう方向成分と該ランプ軸線から半径方向内向き成分とをもつ方向にスライド移動して、該スライド部材は前記ネック部口径の範囲内で停止し、前記ランプを上下反転してランプ口金を上方にしたとき、前記スライド部材は、前記ランプ軸線に沿って前記ランプ口金から前記管球のトップ部に向かう方向成分と該ランプ軸線から半径方向外向き成分とをもつ方向にスライド移動して、該スライド部材の一部は前記ネック部口径を超えた位置で停止する。
【００１２】
更に、上記管球の落下防止機構付きランプでは、前記スライド部材は、スライド部と、前記スライド部をスライド自在に保持する保持部材と、前記保持部材を前記マウントに固定する固定部材を有していてもよい。
【００１３】
更に、上記管球の落下防止機構付きランプでは、前記スライド部材は、線材を略直角三角形に折り曲げて両端を接続して形成され、三角形の第一の辺は、前記ランプ軸線に沿って鉛直方向に延在し、三角形の第二の辺は、スライド部を構成し、三角形の第三の辺は、第一の辺の端部と第二の辺の端部を接続していてもよい。
【００１４】
更に、上記管球の落下防止機構付きランプでは、前記落下防止機構は、更に、前記スライド部材の旋回防止機構を有し、前記旋回防止機構は、前記スライド部材が前記スライド部の軸中心の周りを旋回しないように、前記三角形の第三の辺を取り囲むように形成されていてもよい。
【００１５】
更に、上記管球の落下防止機構付きランプでは、前記落下防止機構は、前記スライド部の断面形状を非円形とし、該スライド部を摺動自在に保持する保持部材の断面形状を該非円形に対応する非円環形状として、構成されていてもよい。
【００１６】
更に、上記管球の落下防止機構付きランプでは、前記スライド部材は、重量を増加するための錘を有していてもよい。
【００１７】
更に、上記管球の落下防止機構付きランプでは、前記落下防止機構を複数個設けていてもよい。
【発明の効果】
【００１８】
本発明によれば、管球の封止部やその周辺部にクラックが発生しても、管球の落下を確実に防止する落下防止機構付きランプを提供することが出来る。
【図面の簡単な説明】
【００１９】
【図１】図１は、先行技術文献である特許文献１に開示する管球の落下防止機構を説明する図である。
【図２】図２は、先行技術文献である特許文献２に開示する管球の落下防止機構を説明する図である。
【図３】図３は、本実施形態に係る、管球の落下防止機構付き高輝度放電ランプの全体を説明する図である。
【図４】図４は、本実施形態に係る、高輝度放電ランプのバルブ形状を説明する図である。
【図５Ａ】図５Ａは、図３のマウントと、これに取り付けた管球の落下防止機構とを示し、ここで、（Ａ）は落下防止機構の作動前の状況を示し、（Ｂ）は作動後の状況を示している。
【図５Ｂ】図５Ｂは、図５Ａの落下防止機構の詳細を説明する図であり、ここで、（Ａ）及び（Ｂ）は、図５Ａの（Ａ）及び（Ｂ）に示す夫々の落下防止機構の拡大図である。
【図５Ｃ】図５Ｃは、図５Ａのスライド部材の作動前後の様子と、スライド部材と外管バルブの位置関係を説明する図である。
【図６】図６は、図３に示す管球の落下防止機構付き高輝度放電ランプの使用方法を説明する図である。
【図７】図７は、複数個の管球の落下防止機構を有する他の実施形態に係る高輝度放電ランプを説明する図である。
【発明を実施するための形態】
【００２０】
以下、本発明に係る管球の落下防止機構付きランプの実施形態に関して、添付の図面を参照しながら詳細に説明する。図中、同じ要素に対しては同じ参照符号を付して、重複した説明を省略する。
【００２１】
［管球の落下防止機構付きランプ］
（高輝度放電ランプの構造）
図３は、本実施形態に係る管球の落下防止機構付きランプを説明する図である。ランプとして、高輝度放電ランプの１つであるセラミックメタルハライドランプ１０を例に挙げて説明する。
【００２２】
図３に示すように、ランプ１０は、管球（「外管バルブ」とも言う。）２の内部に、発光部となる発光管４を内封した二重構造となっている。外管バルブ２の端部には、Ｅ形（ねじ込み形）の口金６が接合されている。発光管４は、金属の線材や板を組み合わせた構造物にシュラウドや始動回路（後で説明する。）を取り付けたマウント８により、所定の位置に支持され、給電される。
【００２３】
これらの各要素について詳述する。
【００２４】
発光部となる発光管４は、中央の太管部４ａ及び両端の細管部４ｂ，４ｃの形状をもつセラミックス製の透光性容器である。１対のリード線５，７が、これら細管部４ｂ，４ｃを夫々通して太管部４ａの領域まで延びて、１対の主電極（図示せず。）を形成している。これらの電極は、典型的には、タングステン（Ｗ）等で構成されている。
【００２５】
発光管４の容器内には、発光及び放電媒体として、所定量の水銀と、金属ハロゲン化物と、希ガスとして所定圧力のアルゴン（Ａｒ）ガスが封入されている。希ガスとして、アルゴン（Ａｒ）ガス以外に、少量のネオン（Ｎｅ）等の他の希ガスが混入されていてもよい。金属ハロゲン化物としては、よう素（Ｉ）、臭素（Ｂｒ）、塩素（Ｃｌ）等のハロゲンと、ナトリウム（Ｎａ）、スカンジウム（Ｓｃ）、セシウム（Ｃｓ）、ディスプロシウム（Ｄｙ）等の少なくとも一種の発光金属とが封入され、発光効率、演色性や色温度等の特性の向上が図られている。
【００２６】
マウント８は、一対の導入線が気密封着されたステム管１４と、一方の導入線に接続された、モリブデンＭｏ，ステンレス等の線材や略長四角形状の枠状に成形した丸棒体から成る支柱１６と、発光管４の周囲を囲むように配設された透明石英ガラス管からなるシュラウド（「中管」ともいう。）１８と、抵抗器やバイメタル等の熱応動スイッチからなる始動回路部２０とを主要部品として構成されている。
【００２７】
外管バルブ２は、例えば、ホウケイ酸ガラス等の透光性の硬質ガラスからなり、最大口径の中央部２ａ、図で見て下部側の閉塞されたトップ部２ｂ、及び上部側のネック部２ｃを有するＢＴ形をなしている。ネック部２ｃには、ステム管１４のフレア部が封止された封止部(図示せず。)が有り、封止後、ステム管１４に設けられた排気管（図示せず。）を通じて外管バルブ２内は排気され、アルゴン（Ａｒ）等の不活性ガスや窒素（Ｎ2 ）ガス等が封入され、或いは真空とした気密雰囲気となっている。この封止部を覆ってねじ込み形口金６が耐熱性の接着剤を用いて接合され、或いはモールドにより形成された螺旋状のねじ溝に口金６が螺合されて取付けられる。
【００２８】
落下防止機構２２に関しては、図５Ａ，５Ｂ及び５Ｃを用いて後述する。
【００２９】
図３に示すセラミックメタルハライドランプ１０は、口金６側が上方に位置する鉛直又は傾斜したベースアップ状態で点灯される。即ち、セラミックメタルハライドランプ１０は、ソケット（図示せず。）に装着して、電源から所定の点灯回路装置（図示せず。）を介し通電され、主電極間の放電により安定した点灯が持続する。
【００３０】
（対象となるランプ及びランプ形状）
図３では、セラミックメタルハライドランプ１０を例に挙げて説明している。しかし、これに限定されない。対象となるランプは、高圧水銀ランプ、メタルハライドランプ、セルフバラスト水銀ランプ及び高圧ナトリウムランプのような高輝度放電ランプが含まれる。更に、対象となるランプは、高輝度放電ランプに限られず、管球が剥き出しでカバー無しで使用されている白熱ランプ等も含まれる。
【００３１】
図３では、ＢＴ形ランプ１０を例にとって説明をしている。しかし、ランプの形状は、これに限定されない。図４は、本実施形態に係るランプのバルブ形状を説明する図である。本実施形態に係るランプは、ネック部２ｃの口径より中央部２ａのそれが大きい全てのランプ形状であってよい。例えば、本実施形態に係るランプは、（Ａ）に示すＢ型(Bulged)、（Ｂ）に示すＢＴ型(Bulged-Tube)、（Ｃ）に示すＲ型(Reflector)、及び（Ｄ）に示すＧ型(Globe)であってよい。しかし、ネック部２ｃと中央部２ａが、同じ口径を有する（Ｅ）に示すＴ(Tube)型は、本実施形態の対象とはならない。
【００３２】
（管球の落下防止機構）
図５Ａ，５Ｂ及び５Ｃは、図３に示す高輝度放電ランプの管球の落下防止機構２２の詳細を説明する図である。
【００３３】
図５Ａは、図３のマウント８と、これに取り付けた管球の落下防止機構２２とを示し、ここで、（Ａ）は落下防止機構２２の作動前の状況を示し、（Ｂ）は作動後の状況を示している。ここで注意願いたいことは、図５Ａでは、マウント８に対する落下防止機構２２の作動状況を分かり易くするため、敢えて、（Ａ）及び（Ｂ）でマウント８が対応するように描かれている。即ち、マウント８自体を反転させた図ではなく、（Ａ）ではマウント８及び落下防止機構２２に対する重力Ｇが矢印方向（図面で上方向）にかかり、上下反転した（Ｂ）では重力Ｇの矢印方向を反転（図面で下方向）させていることに留意されたい。
【００３４】
落下防止機構２２は、マウント８の所定箇所（図では、支柱１６）に取り付けられている。落下防止機構２２は、発光管からの配光への影響が少ない位置に取り付けることが好ましい。落下防止機構２２は、好ましくは、支柱１６と同じ材質である、モリブデンＭｏ、ステンレス等の線材から形成されている。落下防止機構２２の作動は、高輝度放電ランプ１０の上下を反転（従って、内部の落下防止機構２２を上下反転）させることにより行われる。
【００３５】
（Ａ）に示すマウント８を上下反転することにより、（Ｂ）に示すようにマウント８から落下防止機構２２が横方向（白抜き矢印）に移動する。
【００３６】
図５Ｂは、この落下防止機構２２の詳細を説明する図であり、ここで、図５Ｂの（Ａ）及び（Ｂ）は、図５Ａの（Ａ）及び（Ｂ）に示す夫々の落下防止機構２２の拡大図である。図５（Ａ）に示すように、落下防止機構２２は、スライド部材２２ｃと、このスライド部材２２ｃを保持する保持部材２２ａと、この保持部材をマウントの一部（図では、支柱１６）に固定する固定部材２２ｂと、スライド部材２２ｃの旋回を防止する旋回防止部材２２ｄとを有している。
【００３７】
スライド部材２２ｃは、所定の長さの線材又は棒状体（以下、単に「線材」という。）をほぼ三角形に折り曲げて両端を接続して形成されている。
【００３８】
保持部材２２ａは、三角形のスライド部材２２ｃの一辺にあたるスライド部２２ｃ−１の一部を包囲するように形成された所定の長さの円筒部材（チューブ状）から構成され、スライド部２２ｃ−１をスライド自在に保持する。
【００３９】
固定部材２２ｂは、保持部材２２ａをマウント８の一部（図では、支柱１６）に固定している。
【００４０】
落下防止機構２２は、マウント８に対してスライド自在に保持されたスライド部材２２ｃを有しており、ランプの完成状態では、このスライド部材２２ｃは、ランプ口金６と管球２のトップ部２ｂとを結ぶランプ軸線Ｌ−Ｌ'に沿った方向成分とこのランプ軸線を中心とする半径方向成分とをもつ方向にスライド移動自在となっている。
【００４１】
旋回防止部材２２ｄは、保持部材２２ａに対してスライド部材２２ｃが旋回しないようにしている。旋回防止部材２２ｄは、支柱１６に取り付けられたコの字状の線材であって、スライド部材２２ｃの自由なスライド移動を確保し、且つスライド部材２２ｃの旋回を防止している。即ち、一辺２２ｃ−２を囲むことにより、スライド部材２２ｃがスライド部２２ｃ−１の軸中心の周りに旋回しないようにしている。
【００４２】
落下防止機構２２の作動状態に関しては、（Ａ）に示すように、当初、スライド部材２２ｃの大部分は、マウント８の内側（即ち、支柱１６右側）に位置している。この状態からランプ１０を上下反転（即ち、マウント８及びスライド部材２２ｃを上限反転）することにより、（Ｂ）に示すように、スライド部材２２ｃは、白抜き矢印に示すように横方向に移動する。
【００４３】
図５Ｃは、このスライド部材２２ｃの作動前後の様子と、スライド部材と外管バルブ２の位置関係を説明する図である。作動前のスライド部材２２ｃを破線で示し、作動後のスライド部材２２ｃを実線で示している。
【００４４】
作動前には、スライド部材２２ｃは外管バルブ２のネック部２ｃの内面から離れた位置に停止している。マウント８及びスライド部材２２ｃを上限反転することにより、重力Ｇのかかる方向が反転し、スライド部材２２ｃの自重によって、スライド部２２ｃ−１が、保持部材２２ｂに対してスライド移動（摺動）し、スライド部材２２ｃは全体に斜め下方向（白抜き矢印方向）に移動する。
【００４５】
スライド部材２２ｃは、外管バルブ２の軸中心からの距離でネック部２ｃより長い位置（即ち、ネック部より外側）に停止する。或いは、スライド部材２２ｃは、外管バルブ２のネック部２ｃより口径の大きい係止部２ｄ（具体的には、ネック部２ｃから中央部２ａへの変移部、又は中央部２ａ）に係止する。このスライド移動が円滑に行われるため、スライド部２２ｃ−１の表面は良く磨かれた状態であることが好ましい。
【００４６】
作動前の破線で描かれたスライド部材２２ｃの大部分は、支柱１６より右側（即ち、マウント８の内部）に位置決めされていた。従って、マウント８を外管バルブ２の口径の狭いネック部２ａを通して挿入することが可能である。上下を反転した作動後では、スライド部材２２ｃの大部分は、支柱１６より左側（即ち、マウント８の外部）に位置決めされ、停止している。従って、マウント８を外管バルブ２の口径の狭いネック部２ｃから引き抜こうとしても、スライド部材２２ｃが外管バルブ２の内面に係合して、引き抜くことが出来なくなる。即ち、ソケット（図示せず。）にネジ込まれた口金６に一体に形成されたマウント８と、外管バルブ２とは、分離出来なくなる。
【００４７】
これまでランプ１０の取り付け方向に関して、口金６を上方にしてソケット（図示せず。）に取り付ける説明してきたが、これに限定されない。この落下防止機構２２は、スライド部材２２ｃのスライド移動方向（白抜き矢印方向）が水平方向より下向きであれば機能することを承知されたい。点灯状態でランプ１０の軸線Ｌ−Ｌ'（図３参照）が斜めであっても、スライド移動方向が水平方向より下向きであれば、落下防止機構２２は機能する。なお、ランプ１０を斜めに取り付けて点灯する場合、予め、微振動を与えてスライド部材２２ｃを確実にスライド移動することが好ましい。
【００４８】
ここで、スライド部材２２ｃを、線材をほぼ直角三角形（但し、直角部分が少し鋭角であってもよい。）に折り曲げて両端を接続して形成した点は、次の通りである。先ず、スライド部材２２ｃが保持部材２２ａに保持されたとき、一辺２２ｃ−２が外管バルブ２の軸線Ｌ−Ｌ'に沿って鉛直方向に延びていることにより、作動前にはスライド部材２２ｃを最も内側（外管バルブ２の軸線から半径方向に短い位置）に収納することが出来る。
【００４９】
次に、スライド部２２ｃ−１の長さを長く確保することが出来る。
【００５０】
更に、円滑なスライド移動の要請と、スライド部材２２ｃの大きな横方向移動（外管バルブ２の軸線から半径方向に向かう移動）の要請との折り合いによる。即ち、支柱１６に対するスライド部２２ｃ−１の傾きθは、小さければスライド移動は円滑に行われる。しかし、スライド部材２２ｃの横方向移動距離は小さくなる。反対に、この傾斜θを大きくすると、スライド部材２２ｃの横方向移動距離は大きくなるが、しかしスライド部２２ｃ−１の円滑なスライド移動に欠けることになる。
【００５１】
結局、最初に、鉛直に延びる一辺２２ｃ−２が決定される。次に、実験を通して円滑なスライド移動が確保できる傾きθが決定される。現時点で、この傾きθは角度４５度前後である。更に、確実に落下防止機能が発揮されるスライド部材２２ｃの横方向移動距離（軸線Ｌ−Ｌ'から半径方向の距離）が決定されると、スライド部２２ｃ−１のスライド可能な長さ（即ち、スライド部２２ｃ−１の長さ及び保持部材２２ａの長さ）が決定される。最後に、他の一辺の長さは必然的に定まる。
【００５２】
これらの諸要求を満たす形状として、スライド部材２２ｃは、線材をほぼ直角三角形（直角部分が少し鋭角であってよい。）に折り曲げて両端を接続して形成されている。
【００５３】
（マウント及びスライド部材の変形例）
ここで、図５Ａ〜５Ｃを参照しながら、マウント８（特に、支柱１６）及びスライド部材２２ｃに関する変形例に関して列挙する。
【００５４】
(1) スライド部材２２ｃは、三角形に成形された線材に限定されない。スライド部２２ｃ−１が所定の長さの真っ直ぐな線材である限り、他の形状を採用してもよい。例えば、スライド部２２ｃ−１を除いた部分を三角形の板状体にしてもよい。或いは、三角形の一辺である２２ｃ−２は連続した線材でなく、一部に切り欠きが有ってもよい。
【００５５】
(2) 旋回防止部材２２ｄは、支柱１６に取り付けられたコの字状の線材として示してあるが、これに限定されない。例えば、上記(1)に記載したように、スライド部材２２ｃが三角形の板状体である場合、旋回防止部材２２ｄは、支柱１６に取り付けられたＬ字状の線材となる。
【００５６】
(3) 旋回防止部材２２ｄは、スライド部材２２ｃと別体で示しているが、これに限定されない。この旋回は、スライド部２２ｃ−１の断面形状が円形であるために生じる。従って、他の旋回防止機構を採用してもよい。例えば、旋回防止機構として、スライド部２２ｃ−１の断面形状を非円形とし、保持部材２２ａの断面形状を、これを包囲する非円環形状にしてもよい。具体的には、スライド部２２ｃ−１の断面形状を楕円形、多角形（三角形、四角形等）の線材とし、保持部材２２ａをこれに対応した楕円形の管、多角形の管としてもよい。
【００５７】
(4) このスライド部材２２ｃのスライド移動は、重力を利用して作動している。そのため、スライド部材２２ｃの重量を重くすることにより、スライド移動はスムーズに行われる。従って、スライド部材２２ｃを重量の重い金属で形成したり、或いはスライド部材２２ｃの一部に錘を取り付けたり、スライド部材２２ｃの一部を太くしたりして、重量を増加してもよい。例えば、スライド部２２ｃ−１の両端の一方又は両方の部分を玉状に成形して、錘部としてもよい。
【００５８】
(5) スライド部材２２ｃが固定される対象は、支柱１６に限定されない。口金６と一体になっているマウント８の所望の箇所に固定してもよい。
【００５９】
（使用状態）
図６は、図３に示す高輝度放電ランプ１０の使用方法を説明する図である。（Ａ）において、マウント８にスライド部材２２ｃを取り付ける。次に（Ｂ）において、外管バルブ２を、ネック部２ｃを下にして位置決めする。次に、マウント８を、下方からネック部２ｃに通して外管バルブ２内に挿入する。このとき（Ｃ）に示すように、マウント８に取り付けられたスライド部材２２ｃの大部分がマウント８内の位置にあり、容易に挿入することができる。挿入が終了した（Ｄ）の段階で、口金６を用意し、ネック部２ｃに取り付ける。次に（Ｅ）の段階で、ランプ２を上下反転して、スライド部材２２ｃをスライド移動する。このスライド移動が終了した段階では、スライド部材２２ｃの大部分がマウント８の外側の位置に停止している。
【００６０】
ランプの完成状態では、ランプ口金６を下方にしたとき、スライド部材２２ｃは、ランプ軸線Ｌ−Ｌ'に沿って管球のトップ部２ｂからランプ口金６に向かう方向成分とランプ軸線から半径方向内向き成分とをもつ方向にスライド移動して、スライド部材２２ｃはネック部２ｃの口径の範囲内で停止する。ランプ１０を上下反転してランプ口金６を上方にしたとき、スライド部材２２ｃは、ランプ軸線Ｌ−Ｌ'に沿ってランプ口金６から管球のトップ部２ｂに向かう方向成分とランプ軸線から半径方向外向き成分とをもつ方向にスライド移動して、スライド部材２２ｃの一部はネック部２ｃの口径を超えた位置で停止する。
【００６１】
これにより、外管バルブ２の封止部やその周辺部にクラックや割れが生じて一周して落下しようとしても、スライド部材２２ｃが外管バルブ２の内壁の一部に係合して、外管バルブ２が口金６から離脱して落下することはない。
【００６２】
このとき、ランプ１０に微振動を与えると、一層確実にスライド部材２２ｃはスライド移動する。実際には、ランプの使用者が、天井その他の箇所に取り付けられたソケット（図示せず。）に対して、下方からランプ１０の口金６をねじ込む時、ランプ１０に微振動が加えられ、スライド部材２２ｃは確実にスライド移動することになる。
【００６３】
［他の実施形態に係る管球の落下防止機構付きランプ］
図７は、複数個（図では２個）の管球の落下防止機構２２を有する他の実施形態に係るランプを説明する図である。図４に示したように、ランプ１０の外管バルブ２には種々の形状がある。例えば、ネック部２ｃから中央部２ａにかけて口径が徐々に大きくなるようなバルブ形状の場合、複数個の落下防止機構２２−１，２２−２を設けることが好ましい。落下防止機構２２の個数は、個々のランプの外管バルブ２の形状、外管バルブ２とマウント８の位置関係等によって決定される。
【００６４】
［その他］
以上、管球の落下防止機構付きランプの実施形態に関して説明したが、これらは例示であって、本発明はこれに限定されない。当業者が容易になしえる、実施形態に対する追加、削除、変更、改良等は、本発明の範囲内である。本発明の技術的範囲は、添付の特許請求の範囲の記載に基づいて定められる。
【符号の説明】
【００６５】
１０：セラミックメタルハライドランプ，ランプ，ＢＴ形ランプ、  ２：管球，外管バルブ、  ２ａ：中央部、  ２ｂ：トップ部、  ２ｃ：ネック部、  ４：発光管、  ４ａ：太管部、  ４ｂ，４ｃ：細管部、  ５：リード線、  ６：口金、  ７：リード線、  ８：マウント、  １２：金属箔、  １４：ステム管、  １６：支柱、  １８：シュラウド，中管、  ２０：始動回路、  ２２：落下防止機構、  ２２ａ：保持部材、  ２２ｂ：固定部材、  ２２ｃ：スライド部材、  ２２ｃ−１：スライド部、  ２２ｃ−２：一辺、  ２２ｄ：回転防止部材、
【図１】
0005447970.tif 000002
【図２】
0005447970.tif 000003
【図３】
0005447970.tif 000004
【図４】
0005447970.tif 000005
【図５Ａ】
0005447970.tif 000006
【図５Ｂ】
0005447970.tif 000007
【図５Ｃ】
0005447970.tif 000008
【図６】
0005447970.tif 000009
【図７】
0005447970.tif 000010